(57)【要約】【課題】泥汚れ等の固形物の除去性能を向上させるとともに、信頼性や耐久性の向上した洗濯機を提供すること。【解決手段】制御手段４７により、所定時間攪拌翼３５の回転駆動を行った後、洗濯水供給手段３９により洗濯兼脱水槽３４内の衣類に洗濯水を供給するとともに、排水手段４１により外槽３３の外に排水することにより、衣類は乾燥状態で攪拌され、泥汚れ等の固形物が衣類から剥離した後、洗濯水を供給して剥離した固形物を外槽３３の外に流し出すことができ、後に行う洗濯液を使用した洗浄において、固形物の除去を有利に行うことができる。また、洗浄中の洗濯液に含まれる固形物が少なくなり、ポンプの信頼性や耐久性を向上させることができる。【選択図】図１
2005110754.tif 000002
【特許請求の範囲】
【請求項１】
外槽内に回転可能に設けられた洗濯兼脱水槽と、前記洗濯兼脱水槽の内部に設けられた撹拌翼と、前記洗濯兼脱水槽と前記撹拌翼を回転させる駆動手段と、前記洗濯兼脱水槽内の衣類に洗濯水を供給する洗濯水供給手段と、外槽底部に設けられた排水手段と、前記駆動手段と前記洗濯水供給手段と前記排水手段の動作を制御する制御手段とを備え、前記制御手段は、所定時間前記攪拌翼の回転駆動を行った後、前記洗濯水供給手段により前記洗濯兼脱水槽内の衣類に洗濯水を供給するとともに、前記排水手段により前記外槽の外に排水するように構成した洗濯機。
【請求項２】
制御手段は、攪拌翼の正転と反転を所定の回転角度で行う第１のモードと、前記第１のモードより大きい回転角度で行う第２のモードを有した請求項１記載の洗濯機。
【請求項３】
制御手段は、攪拌翼の回転駆動の後、洗濯水供給手段により洗濯水を洗濯兼脱水槽内の衣類が浸水するように供給し、再度前記攪拌翼の回転駆動を行った後に、排水手段により外槽の外に排水するように構成した請求項１記載の洗濯機。
【請求項４】
制御手段は、所定時間攪拌翼の回転駆動を行った後、回転駆動を継続しながら洗濯水供給手段により洗濯兼脱水槽内の衣類に洗濯水を供給するとともに、排水手段により外槽の外に排水するように構成した請求項１記載の洗濯機。
【請求項５】
制御手段は、所定時間攪拌翼の回転駆動を行った後、洗濯兼脱水槽を低速で回転しながら洗濯水供給手段により洗濯兼脱水槽内の衣類に洗濯水を供給するとともに、排水手段により外槽の外に排水するように構成した請求項１に記載の洗濯機。
【発明の詳細な説明】
【技術分野】
【０００１】
本発明は、洗濯兼脱水槽又は攪拌翼を回転させながら洗濯液を衣類に散水もしくは浸水させて汚れを除去する洗濯機に関するものである。
【背景技術】
【０００２】
従来、この種の洗濯機は撹伴による布の傷みを軽減するために、攪拌する替わりに洗濯兼脱水槽を回転しながら洗濯液を供給し、遠心力で洗濯液を衣類の中を通過させることによって、汚れを除去していた（例えば、特許文献１参照）。
【０００３】
図７は、従来の洗濯機の全体構成を示すもので、脚１を複数有する台板２と、これに載置結合した外箱３、及びこの外箱３に被装結合したトップカバー４とで、外殻５を構成している。トップカバー４は、洗濯物出入口を有しており（図示せず）、かつそれを開閉する例えば２つ折りの蓋６をも有している。
【０００４】
外殻５の内部には、水槽７を複数組（１組のみ図示）の弾性支持機構８により支持して配設している。水槽７の内部には、回転槽１０を回転可能に配設している。水槽７の外下部には、モー夕１６を配設している。水槽７の排水口９には、接続パイプ１７を介して排水弁１８の入口部を接続しており、この排水弁１８の出口部には排水ホース１９の基端部を接続し、この排水ホース１９の先端部を機外に導出させている。
【０００５】
また、上記接続パイプ１７には、ポンプ用ホース２０の一端部を分岐接続しており、これの他端部を外殻５の内上部の後部に配設したポンプ２１の入口部に接続している。そして、ポンプ２１の出口部には、ノズル用ホース２２の一端部を接続し、これの他端部を噴水器としてのノズル２３の基端部に接続している。これにより、ポンプ２１が駆動されれば、ポンプ２１は水槽７内の洗濯水Ｗを排水口９からポンプ用ホース２０を通じて吸引し、それを加圧して、ノズル用ホース２２を通じてノズル２３から噴射させるようになっている。
【特許文献１】特開２００１−１３７５８７号公報
【発明の開示】
【発明が解決しようとする課題】
【０００６】
しかしながら、前記従来の構成では、撹伴による布の傷みを軽減するために、攪拌する替わりに洗濯兼脱水槽を回転しながら洗濯液を供給し、遠心力で洗濯液を衣類の中を通過させることによって、汚れを除去しているため、固形物が衣類に付着した泥汚れ等は、完全に除去することができず、衣類に残存するという課題を有していた。また、衣類から分離した固形物が衣類に再付着したり、ポンプに浸入して低寿命化の要因にもなっていた。
【０００７】
本発明は、前記従来の課題を解決するもので、泥汚れ等の固形物の除去性能を向上させるとともに、信頼性や耐久性の向上した洗濯機を提供することを目的とする。
【課題を解決するための手段】
【０００８】
前記従来の課題を解決するために、本発明の洗濯機は、外槽内に回転可能に設けられた洗濯兼脱水槽と、前記洗濯兼脱水槽の内部に設けられた撹拌翼と、前記洗濯兼脱水槽と前記撹拌翼を回転させる駆動手段と、前記洗濯兼脱水槽内の衣類に洗濯水を供給する洗濯水供給手段と、外槽底部に設けられた排水手段と、前記駆動手段と前記洗濯水供給手段と前記排水手段の動作を制御する制御手段とを備え、前記制御手段は、所定時間前記攪拌翼の回転駆動を行った後、前記洗濯水供給手段により前記洗濯兼脱水槽内の衣類に洗濯水を供給するとともに、前記排水手段により前記外槽の外に排水するように構成したものである。
【０００９】
これによって、衣類は乾燥状態で攪拌され、泥汚れ等の固形物が衣類から剥離した後、洗濯水を供給して剥離した固形物を外槽の外に流し出すことができ、後に行う洗濯液を使用した通過洗浄において、固形物の除去を有利に行うことができる。また、通過洗浄中の洗濯液に含まれる固形物が少なくなり、ポンプの信頼性や耐久性を向上させることができる。
【発明の効果】
【００１０】
本発明の洗濯機は、泥汚れ等の固形物の除去性能を向上させるとともに、信頼性や耐久性の向上した洗濯機を実現することができる。
【発明を実施するための最良の形態】
【００１１】
第１の発明は、外槽内に回転可能に設けられた洗濯兼脱水槽と、前記洗濯兼脱水槽の内部に設けられた撹拌翼と、前記洗濯兼脱水槽と前記撹拌翼を回転させる駆動手段と、前記洗濯兼脱水槽内の衣類に洗濯水を供給する洗濯水供給手段と、外槽底部に設けられた排水手段と、前記駆動手段と前記洗濯水供給手段と前記排水手段の動作を制御する制御手段とを備え、前記制御手段は、所定時間前記攪拌翼の回転駆動を行った後、前記洗濯水供給手段により前記洗濯兼脱水槽内の衣類に洗濯水を供給するとともに、前記排水手段により前記外槽の外に排水するように構成することにより、衣類は乾燥状態で攪拌され、泥汚れ等の固形物が衣類から剥離した後、洗濯水を供給して剥離した固形物を外槽の外に流し出すことができ、後に行う洗濯液を使用した洗浄において、固形物の除去を有利に行うことができる。また、洗浄中の洗濯液に含まれる固形物が少なくなり、ポンプの信頼性や耐久性を向上させることができる。
【００１２】
第２の発明は、特に、第１の発明の制御手段を、攪拌翼の正転と反転を所定の回転角度で行う第１のモードと、前記第１のモードより大きい回転角度で行う第２のモードを有したことにより、第１のモードで攪拌翼に接触した衣類の固形物を剥離させ、第２のモードで衣類を転動させて、新たな衣類を攪拌翼に接触させた後、再び第１のモードで衣類の固形物を剥離させる。この動作を繰り返すようにしたことにより、衣類全体の固形物を効率よく剥離させることができる。
【００１３】
第３の発明は、特に、第１の発明の制御手段を、攪拌翼の回転駆動の後、洗濯水供給手段により洗濯水を洗濯兼脱水槽内の衣類が浸水するように供給し、再度前記攪拌翼の回転駆動を行った後に排水手段により外槽の外に排水するように構成することにより、剥離した固形物が洗濯水中を浮遊し、自重で沈殿した後、排水することによって、外槽の外に流れ出ることになり、固形物の除去性能を向上することができる。
【００１４】
第４の発明は、特に、第１の発明の制御手段を、攪拌翼を所定時間回転駆動を行った後、回転駆動を継続しながら洗濯水供給手段により洗濯兼脱水槽内の衣類に洗濯水を供給するとともに排水手段により外槽の外に排水するように構成したことにより、剥離した固形物は他の衣類に再付着すること無く洗濯水に流され、排水によって外槽の外に流れ出ることになり、少ない洗濯水で短時間に固形物を除去することができる。
【００１５】
第５の発明は、特に、第１の発明の制御手段は、攪拌翼を所定時間回転駆動を行った後、洗濯兼脱水槽を低速で回転しながら洗濯水供給手段により洗濯兼脱水槽内の衣類に洗濯水を供給するとともに排水手段により外槽の外に排水するように構成したことにより、剥離した固形物にむらなく洗濯水が作用して流し落とすことになり、更に少ない洗濯水で固形物を除去することができる。
【００１６】
以下、本発明の実施の形態について、図面を参照しながら説明する。なお、この実施の形態によって本発明が限定されるものではない。
【００１７】
（実施の形態１）
図１は本発明の実施の形態１における洗濯機の断面図、図２は同洗濯機のブロック図である。図１において、洗濯機外枠３１は４本の吊り棒３２により外槽３３を吊り下げている。洗濯兼脱水槽（以下、洗濯槽という）３４は、外槽３３内に回転自在に配設し、洗濯槽３４の底部に撹拌翼３５を回転自在に配設している。駆動手段３６はブラシレス直流モータから成っており、インバータ制御され、回転速度が自在に変化されるようになっている。そして減速機構３８を介して撹拌翼３５および洗濯槽３４を駆動する。
【００１８】
洗濯水供給手段３９は洗濯槽３４内に給水するもので、水位検知手段４０は外槽３３内の洗濯水位を検知する。排水手段４１は外槽３３内の洗濯水を排水するものである。
【００１９】
制御装置４６は洗濯機外枠３１の背面に設けている。この制御装置４６は図２に示すように構成しており、制御手段４７は、洗濯機外枠３１の上面に設けられた操作表示手段４８により入力された設定内容に基づいて、洗い、すすぎ、脱水の各行程を逐次制御するもので、パワースイッチング手段４９を介して駆動手段３６、洗濯水供給手段３９、排水手段４１などを逐次制御する。
【００２０】
記憶手段５０は制御手段４７による逐次制御に必要なデータを記憶している。布量検知手段５１は洗濯槽３４内の洗濯物（衣類）の量を検知するもので、その出力を制御手段４７に入力している。制御手段４７は、駆動手段３６によって洗濯槽３４を回転させながら、洗濯水供給手段３９により洗濯槽３４内の衣類に洗濯水を供給するようにしている。なお電源スイッチ５２、商用電源５３が図２に示すように接続されている。
【００２１】
以上のように構成された洗濯機について、以下その動作、作用を説明する。まず、衣類を洗濯槽３４に投入し、操作表示手段４８を操作して運転を開始する。これによって、制御手段４７は、減速機構３８を介して攪拌翼３５を正反転する。この状態では、洗濯水はまだ供給されておらず、衣類は乾燥状態で攪拌され、泥汚れ等の固形物が衣類から剥離される。所定時間経過後、攪拌翼３５を停止し、洗濯水供給手段３９を動作させ洗濯槽３４内に洗濯水を供給するとともに、排水手段４１を動作させて、剥離した固形物の混じった洗濯水の排水を開始する。こうすることによって、剥離した固形物を外槽の外に流し出す。所定時間後、排水手段４１を停止するとともに洗濯槽３４の回転を開始する。この時、洗剤の投入を行う。規定量の洗濯水が供給されると洗濯水供給手段３９を停止する。洗濯槽３４の回転によって、洗剤は洗濯水に溶かされ、洗濯液となる。後は、攪拌翼３５の正反転や洗濯槽３４の回転による通過洗浄等が行われる。
【００２２】
以上のように、制御手段４７は、洗濯水供給手段３９を動作させない状態、すなわち衣類に洗濯水が供給されず、衣類が乾燥した状態で、所定時間攪拌翼３５の回転駆動を行った後、洗濯水供給手段３９により洗濯兼脱水槽３４内の衣類に洗濯水を供給するとともに排水手段４１により外槽３３の外に排水するようにしたことにより、衣類は乾燥状態で攪拌され、泥汚れ等の固形物が衣類から剥離した後、洗濯水を供給して剥離した固形物を外槽の外に流し出すことになり、後に行う洗濯液を使用した洗浄において、洗濯水が少なくても、固形物の除去を有利に行うことができる。また、洗浄中の洗濯液に含まれる固形物が少なくなり、ポンプの信頼性や耐久性を向上させることもできる。
【００２３】
（実施の形態２）
図３は、本発明の実施の形態２における洗濯機の攪拌翼の動作タイミングチャートを示すものである。制御手段４７は、攪拌翼３５の正転と反転を所定の回転角度で小刻みに行う第１のモード５４と、第１のモードより大きい回転角度で攪拌翼３５の正転と反転を行う第２のモード５５を有し、図３に示すように、各モードが交互に表れるようにしている。
【００２４】
以上のように、本実施の形態においては、第１のモード５４で攪拌翼３５に接触した衣類に集中的に機械力を加えて衣類から固形物を剥離させ、第２のモード５５で衣類を大きく動かして転動させて、新たな衣類を攪拌翼３５に接触させた後、再び第１のモード５４で衣類の固形物を剥離させる。この動作を繰り返すようにしたことにより、衣類全体の固形物を効率よく剥離させることができる。
【００２５】
（実施の形態３）
図４は、本発明の実施の形態３における洗濯機の動作タイミングチャートを示すものである。図４において、制御手段４７は、洗濯水供給手段３９を動作させない状態で攪拌翼３５の回転駆動の後、洗濯水供給手段３９により洗濯水を洗濯兼脱水槽３４内の衣類が浸水するように供給し、再度攪拌翼３５の回転駆動を行った後に排水手段４１により剥離した固形物の混じった洗濯水を外槽３３の外に排水するようにしている。
【００２６】
以上のように、本実施の形態においては、乾燥した状態で衣類から剥離した固形物が洗濯水中を浮遊し、自重で沈殿した後、排水することによって、外槽３３の外に流れ出ることになり、固形物の除去性能を向上することができる。
【００２７】
（実施の形態４）
図５は、本発明の実施の形態４における洗濯機の動作タイミングチャートを示すものである。図５において、制御手段４７は、洗濯水供給手段３９を動作させない状態で攪拌翼３５を所定時間回転駆動を行った後、回転駆動を継続しながら洗濯水供給手段３９により洗濯兼脱水槽３４内の衣類に洗濯水を供給するとともに、排水手段４１により剥離した固形物の混じった洗濯水を外槽３３の外に排水するようにいている。
【００２８】
以上のように、本実施の形態においては、乾燥した状態で衣類から剥離した固形物は、洗濯水の水流によって他の衣類に再付着すること無く流され、排水によって外槽３３の外に流れ出ることになり、少ない洗濯水で短時間に固形物を除去することができる。
【００２９】
（実施の形態５）
図６は、本発明の実施の形態５における洗濯機の動作タイミングチャートを示すものである。図６において、制御手段４７は、洗濯水供給手段３９を動作させない状態で攪拌翼３５を所定時間回転駆動を行った後、洗濯兼脱水槽３４を低速で回転しながら洗濯水供給手段３９により洗濯兼脱水槽３４内の衣類に洗濯水を供給するとともに、排水手段４１により剥離した固形物の混じった洗濯水を外槽３３の外に排水するようにしている。
【００３０】
以上のように、本実施の形態においては、洗濯兼脱水槽３４が低速回転して洗濯水の水流中を衣類が通過するようにしたため、剥離した固形物にむらなく洗濯水が作用して流し落とすことになり、更に少ない洗濯水で固形物を除去することができる。
【産業上の利用可能性】
【００３１】
以上のように、本発明にかかる洗濯機は、泥汚れ等の固形物の除去性能を向上させるとともに、信頼性や耐久性も向上させることができるので、衣類の汚れを除去する洗濯機として有用であるのみならず、衣類以外の洗浄等の用途にも適用できる。
【図面の簡単な説明】
【００３２】
【図１】本発明の実施の形態１における洗濯機の断面図
【図２】同洗濯機のブロック図
【図３】本発明の実施の形態２における洗濯機の攪拌翼の動作タイミングチャート
【図４】本発明の実施の形態３における洗濯機の動作タイミングチャート
【図５】本発明の実施の形態４における洗濯機の動作タイミングチャート
【図６】本発明の実施の形態５における洗濯機の動作タイミングチャート
【図７】従来の洗濯機の断面図
【符号の説明】
【００３３】
３３  外槽
３４  洗濯兼脱水槽
３５  攪拌翼
３６  駆動手段
３９  洗濯水供給手段
４１  排水手段
４６  制御装置
４７  制御手段
５４  第１のモード
５５  第２のモード
【図１】
2005110754.tif 000003
【図２】
2005110754.tif 000004
【図３】
2005110754.tif 000005
【図４】
2005110754.tif 000006
【図５】
2005110754.tif 000007
【図６】
2005110754.tif 000008
【図７】
2005110754.tif 000009